(57)【要約】      （修正有）【課題】家族の一員同様に生活をともにしたペットを手元で絶えず見守り、掌に抱くこともできて、大切に供養するにふさわしい、重量感と荘重感を有するとともに美観的に優れたペット用手元供養骨つぼを提供する。【解決手段】ペット用手元供養骨つぼは、アルミニウム合金からなる球体を一部カットした端面２と、この端面２から前記カットされた球体の内部をくり抜いて遺骨や遺品を収納するようにした収納部と、端面２の内周面に形成される固定側ねじ２Ｃを備える本体１と、ペットを偲ぶ表示体４Ｂを装着することができ、可動側ねじ４Ｇが形成される化粧板４と、本体１を保持する台座５とを具備する。【選択図】図１
0003160028.tif 000002
【実用新案登録請求の範囲】
【請求項１】
（ａ）アルミニウム合金からなる球体を一部カットした端面と、該端面から前記カットされた球体の内部をくり抜いて遺骨や遺品を収納するようにした収納部と、前記端面の内周面に形成される固定側ねじを備える本体と、
（ｂ）ペットを偲ぶ表示体を装着することができ、可動側ねじが形成される化粧板と、
（ｃ）前記本体を保持する台座とを具備することを特徴とするペット用手元供養骨つぼ。
【請求項２】
請求項１記載のペット用手元供養骨つぼにおいて、前記化粧板が外周平坦面上に刻印による表示部を有する押さえリングを具備することを特徴とするペット用手元供養骨つぼ。
【請求項３】
請求項１又は２記載のペット用手元供養骨つぼにおいて、前記化粧板が外周平坦面上に治具係合孔を形成する押さえリングを具備することを特徴とするペット用手元供養骨つぼ。
【請求項４】
請求項１記載のペット用手元供養骨つぼにおいて、前記収納部内に配置する前記遺骨や遺品を入れるカプセルを有することを特徴とするペット用手元供養骨つぼ。
【請求項５】
請求項１記載のペット用手元供養骨つぼにおいて、前記収納部内に配置する前記遺骨や遺品を入れる布袋を有することを特徴とするペット用手元供養骨つぼ。
【請求項６】
請求項１記載のペット用手元供養骨つぼにおいて、前記台座が前記本体の底面側を保持する曲面部を有する円筒形状体からなることを特徴とするペット用手元供養骨つぼ。
【考案の詳細な説明】
【技術分野】
【０００１】
本考案は、葬儀用具としてのペット用手元供養骨つぼに関するものである。
【背景技術】
【０００２】
従来の骨つぼ（骨壺）は、墓所に収納するものが一般的であり、陶器類、石材や炭粉末とバインダーなどで製作されている（下記特許文献１，２参照）。
近年、価値観や生活環境の多様化に伴い、葬儀や供養の仕方が変化してきている。特に、墓所が自宅から遠方にある場合、墓参りに要する時間や交通費といった経済的な面など様々な理由で墓参りができない事情が増加している。かかる状況から、「時代に合った新しい供養のかたち」として「手元供養」が求められるようになってきている。
【０００３】
また、故人を偲ぶ場合はもとより、家族の一員同様に生活をともにしたペット（愛玩動物：犬、猫など）の供養においても、「手元供養」のニーズが増大してきている。
ところで、家庭で安置できる写真付きの骨つぼも提案されている（下記特許文献３参照）。しかし、この骨つぼは、写真の装着や設定を自在にできるものではなかった。
また、これらの骨つぼや追憶・分骨ケースは、大型であるなど、ペットの「手元供養」には適合せず、さらに重量感と荘重感に欠けるといった問題があった。
【先行技術文献】
【特許文献】
【０００４】
【特許文献１】特開２００９−２０７６３５号公報
【特許文献２】特開２００９−１３６３４８号公報
【特許文献３】特開２００９−０３４４９８号公報
【考案の概要】
【考案が解決しようとする課題】
【０００５】
本考案は、上記状況に鑑みて、家族の一員同様に生活をともにしたペットを手元で絶えず見守り、掌に抱くこともできて、大切に供養するにふさわしい、重量感と荘重感を有するとともに美観的に優れたペット用手元供養骨つぼを提供することを目的とする。
【課題を解決するための手段】
【０００６】
本考案は、上記目的を達成するために、
〔１〕ペット用手元供養骨つぼにおいて、アルミニウム合金からなる球体を一部カットした端面と、この端面から前記カットされた球体の内部をくり抜いて遺骨や遺品を収納するようにした収納部と、前記端面の内周面に形成される固定側ねじを備える本体と、ペットを偲ぶ表示体を装着することができ、可動側ねじが形成される化粧板と、前記本体を保持する台座とを具備することを特徴とする。
【０００７】
〔２〕上記〔１〕記載のペット用手元供養骨つぼにおいて、前記化粧板が外周平坦面上に刻印による表示部を有する押さえリングを具備することを特徴とする。
〔３〕上記〔１〕又は〔２〕記載のペット用手元供養骨つぼにおいて、前記化粧板が外周平坦面上に治具係合孔を形成する押さえリングを具備することを特徴とする。
〔４〕上記〔１〕記載のペット用手元供養骨つぼにおいて、前記収納部内に配置する前記遺骨や遺品を入れるカプセルを有することを特徴とする。
【０００８】
〔５〕上記〔１〕記載のペット用手元供養骨つぼにおいて、前記収納部内に配置する前記遺骨や遺品を入れる布袋を有することを特徴とする。
〔６〕上記〔１〕記載のペット用手元供養骨つぼにおいて、前記台座が前記本体の底面側を保持する曲面部を有する円筒形状体からなることを特徴とする。
【考案の効果】
【０００９】
本考案によれば、
（１）家族の一員であった大切なペットを手元で絶えず見守り、大切に供養するにふさわしい、重量感と荘重感を有するとともに美観的に優れたペット用手元供養骨つぼを提供することができる。
（２）ペット用手元供養骨つぼの本体は、アルミニウム合金からの総削り出しとしたので、光沢がよく、かつ、アルミニウムは空気中で酸化皮膜を生成し、この酸化皮膜が腐食を自然に防止する自己補修作用があるため、耐蝕性が良く、いつまでも美しさを保つことができる。
【００１０】
（３）押さえリングを回転させて、本体から化粧板を外すことにより、本体の収納部に遺品や遺骨などを収納することができる。収納後は、再び化粧板を本体に装着することにより、ペット用手元供養骨つぼをセットすることができる。
（４）化粧板に装着されるペットを偲ぶ表示体としてのペットの写真は、押さえリングを回転させて、本体から化粧板を外すことにより取替えが自在である。
【００１１】
（５）台座上のペット用手元供養骨つぼの本体はその向きを自在に変えて、化粧板の向きを調整することができる。
（６）ペット用手元供養骨つぼのサイズは故人用手元供養骨つぼに比べて小型化することができ、かつデザイン性を高めることができる。
【図面の簡単な説明】
【００１２】
【図１】本考案の実施例を示すペット用手元供養骨つぼの全体構成を示す斜視図である。
【図２】本考案の実施例を示すペット用手元供養骨つぼの本体を示す斜視図である。
【図３】本考案の実施例を示すペット用手元供養骨つぼの本体を保持する台座を示す図である。
【図４】本考案の実施例を示すペット用手元供養骨つぼの本体の端面を上方（ｚ軸方向）に向けた六面図である。
【図５】図１のＡ−Ａ′線で切り取ったペット用手元供養骨つぼの分解断面図である。
【図６】参考例としての故人用手元供養骨つぼの分解断面図である。
【図７】本考案の実施例を示す化粧板の分解斜視図である。
【図８】本考案の実施例を示す化粧板の押さえリングの斜視図である。
【図９】本考案の実施例を示すペット用手元供養骨つぼの本体内に配置するカプセルの斜視図である。
【図１０】本考案の実施例を示すペット用手元供養骨つぼの本体内に配置する布袋を示す正面図である。
【考案を実施するための形態】
【００１３】
本考案のペット用手元供養骨つぼは、アルミニウム合金からなる球体を一部カットした端面と、この端面から前記カットされた球体の内部をくり抜いて遺骨や遺品を収納するようにした収納部と、前記端面の内周面に形成される固定側ねじを備える本体と、ペットを偲ぶ表示体を装着することができ、可動側ねじが形成される化粧板と、前記本体を保持する台座とを具備する。
【実施例】
【００１４】
以下、本考案について図面を参照しながら詳細に説明する。
図１は本考案の実施例を示すペット用手元供養骨つぼの全体構成を示す斜視図、図２はそのペット用手元供養骨つぼの本体を示す斜視図、図３はそのペット用手元供養骨つぼの本体を保持する台座を示す図であり、図３（ａ）はその上面図、図３（ｂ）は正面から見た断面図、図３（ｃ）は底面図、図３（ｄ）は左側面図、図３（ｅ）は右側面図、図４は本考案の実施例を示すペット用手元供養骨つぼの本体の端面を上方（ｚ軸方向）に向けた六面図であり、図４（ａ）は上面図、図４（ｂ）は左側面図、図４（ｃ）は右側面図、図４（ｄ）は正面図、図４（ｅ）は裏面図、図４（ｅ）は底面図である。図５は図１のＡ−Ａ′線で切り取ったペット用手元供養骨つぼの分解断面図、図６は参考例としての故人用手元供養骨つぼの分解断面図、図７は本考案の実施例を示す化粧板の分解斜視図、図８はその化粧板の押さえリングの斜視図である。
【００１５】
これらの図において、１はペット用手元供養骨つぼの本体であり、この本体１はアルミニウム合金からなる球体を一部カットして形成した端面２と、この端面２からカットされた球体１の内部をくり抜いて遺骨や遺品を収納するようにした収納部３と、端面２に装着される化粧板４とを具備している。この化粧板４は、図６に示すように、下から順に、白色のアクリル板からなる円板状の蓋４Ａと、その円板状の蓋４Ａ上に装着されるペットを偲ぶ表示体としてのペットの写真４Ｂと、そのペットの写真４Ｂ上に装着される透明な上面凸状窓部４Ｃを有する透明なアクリル板４Ｄと、その透明なアクリル板４Ｄ上に装着されるステンレス材からなる押さえリング４Ｅからなる。なお、ここでは、ペットを偲ぶ表示体としてペットの写真を示したが、ペットを偲ぶ表示体であれば、挿絵や図面などであってもよい。押さえリング４Ｅは、底面に外径が小さい底面凸部４Ｆが形成されており、その底面凸部４Ｆの外周面に可動側ねじ４Ｇが形成されている。また、この押さえリング４Ｅの外周平坦面上には、ペットの名前や日にちなどを刻印することができる表示部（図１参照）として構成することができる。また、後述するが治具係合孔４Ｈを形成するようにしてもよい。図５にはペット用手元供養骨つぼの各部の寸法例を示しており、ここで、Ｍはｍｍねじ、Ｐはｍｍピッチ、Φは直径ｍｍを示している。これらの寸法から明らかなように、図６に示す故人用手元供養骨つぼに比べると寸法は一回り小さくすることができる。
【００１６】
一方、ペット用手元供養骨つぼの本体１の端面２には、化粧板４が装着され、可動側ねじ４Ｇと螺合することによって化粧板４を固定する固定側ねじ２Ｃが内周面に形成された第１の段部２Ａと、第１の段部２Ａよりも大きく押さえリング４Ｅの外径と一致する内径を有する第２の段部２Ｂが形成されており、最表面には平坦な外表面部２Ｄが形成されている。
【００１７】
そこで、ペット用手元供養骨つぼの本体１に形成された端面２の第１の段部２Ａに、円板状の蓋４Ａとペットの写真４Ｂとアクリル板４Ｄと押さえリング４Ｅを順次装着し、第１の段部２Ａの固定側ねじ２Ｃに押さえリング４Ｅの可動側ねじ４Ｇを螺合することにより、第２の段部２Ｂの内側に押さえリング４Ｅが固定される。
そこで、押さえリング４Ｅを回転させて、本体１から化粧板４を外すことにより、本体の収納部に遺骨や遺品などを収納することができる。その押さえリング４Ｅを回転させる場合には、押さえリング４Ｅに形成されている治具係合孔４Ｈに図示していないが治具（ピン）を係合させて容易に押さえリング４Ｅが回転できるように構成することができる。遺骨や遺品などを収納後は、再び化粧板４を本体１に装着することにより、ペット用手元供養骨つぼをセットすることができる。
【００１８】
化粧板４に装着されるペットの写真４Ｂは押さえリング４Ｅを回転させて、本体１から化粧板４を外すことにより、取替えが自在である。
このように構成されたペット用手元供養骨つぼは、図５に示す分解図に示されたサイズの場合、その重量は９６０ｇ（図６に示す故人用の手元供養用骨つぼの場合には、１，２００ｇ）に及ぶため、重量感と荘重感を備えるとともに美観的に優れており、手元で絶えず見守り、大切に供養するにふさわしいペット用手元供養骨つぼを提供することができる。
【００１９】
また、本体１は、アルミニウム合金からの総削り出しとしたので、光沢がよく、かつ、アルミニウムは空気中で酸化皮膜を生成し、この酸化皮膜が腐食を自然に防止する自己補修作用があるため、耐蝕性が良く、いつまでも美しさを保つことができる。さらに、腐食防止用イリダイト処理が施されている。
なお、製品としては、天然ダイヤモンドで削ったアルミニウム合金の鏡面仕上げで製作した。
【００２０】
さらに、上記したペット用手元供養骨つぼの本体１の底面側の球面形状部を台座５で保持するようにしている。この台座５は、ペット用手元供養骨つぼの本体１の底面側の球面形状部を保持する曲面部５Ｂが形成された透明なアクリル樹脂の円筒形状体５Ａからなり、例えば、図３（ｂ）に示すように、外径が６０ｍｍ、内径が５０ｍｍ、高さ３０ｍｍの寸法を有している。台座５上にペット用手元供養骨つぼの本体１を安定して保持することができる。
【００２１】
また、ペット用手元供養骨つぼの本体１の化粧板４の向きは、台座５の上面で本体１を滑らせることにより自由に変えられるので、化粧板４が見やすい向きになるように本体１の方向を設定することができる。よって、台座５が配置される高さ位置に応じて、化粧板４の向きを設定して化粧板４を見やすい向きに変えることができる。
図９は本考案の実施例を示すペット用手元供養骨つぼの本体内に配置するカプセルの斜視図であり、図９（ａ）は蓋を閉じた状態を示す斜視図、図９（ｂ）は蓋を開けた状態を示す斜視図、図１０は本考案の実施例を示す手元供養用骨つぼの本体内に配置する布袋を示す正面図である。
【００２２】
図９において、６はアルミニウム合金からなるカプセルであり、円筒形状のカプセル本体６Ａと、そのカプセル本体６Ａに被着するキャップ６Ｂとを備えている。このカプセル６には遺骨や遺品を収納することができる。
また、遺骨や遺品などは、図１０に示すような紐８付きの布袋７に収納した上でカプセル６に入れるか、または布袋７を直接手元供養用骨つぼの本体１の収納部３に収納するようにしてもよい。
【産業上の利用可能性】
【００２３】
本考案のペット用手元供養骨つぼは、家族の一員同様に生活をともにしたペットを手元で絶えず見守り、掌に抱くこともできて、大切に供養するにふさわしい、重量感と荘重感を有するとともに美観的に優れたペット用手元供養骨つぼとして利用可能である。
【符号の説明】
【００２４】
１    ペット用手元供養骨つぼの本体
２    端面
２Ａ    第１の段部
２Ｂ    第２の段部
２Ｃ    固定側ねじ
２Ｄ    外表面部
３    収納部
４    化粧板
４Ａ    円板状の蓋
４Ｂ    ペットの写真（ペットを偲ぶ表示体）
４Ｃ    上面凸状窓部
４Ｄ    アクリル板
４Ｅ    押さえリング
４Ｆ    底面凸部
４Ｇ    可動側ねじ
４Ｈ    治具係合孔
５    台座
５Ａ    円筒形状体
５Ｂ    曲面部
６    カプセル
６Ａ    カプセル本体
６Ｂ    キャップ
７    布袋
８    紐
【図１】
0003160028.tif 000003
【図２】
0003160028.tif 000004
【図３】
0003160028.tif 000005
【図４】
0003160028.tif 000006
【図５】
0003160028.tif 000007
【図６】
0003160028.tif 000008
【図７】
0003160028.tif 000009
【図８】
0003160028.tif 000010
【図９】
0003160028.tif 000011
【図１０】
0003160028.tif 000012